(57)【要約】      （修正有）【課題】被取付対象である柱への高い固定強度を実現しつつ取付作業の効率化を図ることが可能な物干し装置を提供する。【解決手段】物干し装置は、物干し竿の保持が可能なアーム部１と、アーム部を支持する支持部２と、被取付対象である柱（例えば、手摺柱１０１）に支持部を取り付けるための取付具３と、を備える。取付具３は、支持部が連結される本体部３１と、本体部に一体化された固定部３２と、を有する。固定部３２は、上記柱の外周面のうち、本体部が対向配置される第１面１０１ａと、第１面とは異なる方向を向いた第２面と、を覆い、第２面において締結部材により固定される。【選択図】図２
0003211916.tif 000002
【実用新案登録請求の範囲】
【請求項１】
物干し竿の保持が可能なアーム部と、
前記アーム部を支持する支持部と、
被取付対象である柱に前記支持部を取り付けるための取付具と、
を備え、
前記取付具は、
前記支持部が連結される本体部と、
前記本体部に一体化された固定部であって、前記柱の外周面のうち、前記本体部が対向配置される第１面と、当該第１面とは異なる方向を向いた第２面と、を覆い、前記第２面において締結部材により固定される固定部と、
を有する、物干し装置。
【請求項２】
前記柱は四角柱であり、
前記固定部は、前記柱の外周面を構成する４つの面のうちの３つの面を覆うことが可能な形状を呈し、前記第１面の左右両側に位置する２つの面を前記第２面として覆う、請求項１に記載の物干し装置。
【考案の詳細な説明】
【技術分野】
【０００１】
本考案は、物干し装置を手摺柱等の柱に取り付ける技術に関する。
【背景技術】
【０００２】
物干し装置には、物干し竿の保持が可能なアーム部と、被取付対象（ベランダに設けられた腰壁や手摺柱等）にアーム部を取り付けるための取付具と、を備えたものが多く存在する。具体的には、腰壁や手摺柱のうちのベランダの内側を向いた露出面に取付具が固定され、当該取付具にアーム部が直接的又は間接的に連結される。一例として、アーム部は、上下方向のスライドが可能な支柱を介して取付具に間接的に連結される（例えば、特許文献１参照）。
【先行技術文献】
【特許文献】
【０００３】
【特許文献１】特開２０１１−２４４９７０号公報
【考案の概要】
【考案が解決しようとする課題】
【０００４】
上記物干し装置において、取付具は、物干し装置の重量並びに物干し竿や洗濯物等の重量を支える土台であり、土台としての強度を高めるためには、上記露出面に垂直な方向における取付具の固定強度（即ち、取付具をベランダの内側へ引っ張る力に対する強度）を高めることが望まれる。しかし、従来の物干し装置では、上記露出面に、ベランダの内側からネジやボルト等の締結部材で取付具を固定することが一般的であった。このため、露出面に垂直な方向における取付具の固定強度を高めるためには、引抜き強度を高める必要があり、締結部材としてサイズの大きいもの（例えば、径が大きいネジやボルト）を使用する必要があった。又、締結部材のサイズに合わせて、被取付対象に設けられる締結用の孔も大きくせざるを得ず、被取付対象である腰壁や手摺等の強度の低下が懸念される。
【０００５】
又、アーム部が支柱を介して取付具に連結される物干し装置では、ベランダの内側から締結部材で取付具を被取付対象に固定する際、支柱が作業の妨げにならない様、支柱を取付具から一旦取り外すことが必要であった。このため、物干し装置の取付けには手間と時間がかかっていた。
【０００６】
そこで本考案の目的は、被取付対象である柱への高い固定強度を実現しつつ取付作業の効率化を図ることが可能な物干し装置を提供することである。
【課題を解決するための手段】
【０００７】
本考案に係る物干し装置は、物干し竿の保持が可能なアーム部と、当該アーム部を支持する支持部と、被取付対象である柱に支持部を取り付けるための取付具と、を備える。取付具は、支持部が連結される本体部と、当該本体部に一体化された固定部と、を有する。固定部は、上記柱の外周面のうち、本体部が対向配置される第１面と、当該第１面とは異なる方向を向いた第２面と、を覆い、第２面において締結部材により固定される。
【０００８】
上記物干し装置によれば、取付具の固定部が、取付具の本体部が対向配置される第１面とは異なる面で締結部材によって固定される。このため、本体部に支持部が連結されていたとしても、支持部は、被取付対象に取付具を固定するときの作業の妨げになり難い。従って、取付具に支持部を取り付けた状態のまま、被取付対象である柱への物干し装置の取付作業を行うことができる。又、締結部材の軸方向を、第１面に垂直な方向に対して傾けて（好ましくは垂直に）設けることができるため、締結部材のサイズを大きくせずとも、第１面に垂直な方向における取付具の固定強度を高めることができる。
【０００９】
具体的な構成において、被取付対象である柱は四角柱であり、固定部は、柱の外周面を構成する４つの面のうちの３つの面を覆うことが可能な形状を呈し、第１面の左右両側に位置する２つの面を第２面として覆う。
【考案の効果】
【００１０】
本考案に係る物干し装置によれば、被取付対象である柱への高い固定強度を実現しつつ取付作業の効率化を図ることができる。
【図面の簡単な説明】
【００１１】
【図１】本考案の一実施形態に係る物干し装置の使用例を示した斜視図である。
【図２】物干し装置を概念的に示した斜視図である。
【図３】アーム部の収納姿勢を示した斜視図である。
【図４】支持部を下方へスライドさせた状態を示した斜視図である。
【図５】（Ａ）（Ｂ）被取付対象である柱への取付具の取付構造を示した斜視図である。
【考案を実施するための形態】
【００１２】
図１は、本考案の一実施形態に係る物干し装置１００の使用例を示した斜視図である。図１に示される様に、物干し装置１００は、ベランダに設けられた２本の手摺柱１０１に１つずつ取り付けて使用される。尚、本考案に係る物干し装置は、ベランダに設けられた手摺柱１０１に限らず、被取付対象になり得る様々な柱に取り付けて使用することができる。又、物干し装置１００は、２本の限定されてない複数の柱に取り付けて使用されてもよい。
【００１３】
図２は、物干し装置１００を概念的に示した斜視図である。図１に示される様に、物干し装置１００は、アーム部１と、支持部２と、取付具３と、を備える。
【００１４】
アーム部１は、物干し竿の保持が可能な構成を有する。具体的には、アーム部１は、物干し竿が掛けられる保持部１１を有する。図２には、保持部１１の例として、アーム部１に形成された５つの貫通孔が示されている。そして、図１に示される様に、少なくとも２つの物干し装置１００を１組として、それぞれが備えるアーム部１の保持部１１に物干し竿を掛けることにより、物干し竿がアーム部１によって保持される。尚、アーム部１は、保持部１１として５つの貫通孔が形成されたものに限らず、物干し竿の保持が可能な種々の形状に変形することができる。
【００１５】
支持部２は、アーム部１を支持する支柱であり、本実施形態ではアーム部１を片持ちで支持している。具体的には、収納姿勢（図３参照）と保持姿勢（図２参照）との間でアーム部１の姿勢変形が可能となる様に、アーム部１が、連結機構を介して支持部２に連結されている。ここで、収納姿勢は、アーム部１をスライドさせて基端部１ａを下方へ移動させることにより、アーム部１が、先端部１ｂ近傍の位置で支持部２に支持されて当該支持部２（支柱）と平行に並んだ姿勢である。保持姿勢は、物干し竿の保持が可能な姿勢であり、支持部２の延在方向に対してアーム部１が所定の角度ｄで傾いた姿勢である。そして、連結機構には、収納姿勢と保持姿勢との間でのアーム部１のスライドを可能にしつつ、アーム部１を保持姿勢で維持することを可能にするための機構が組み込まれている。尚、連結機構は、アーム部１を保持姿勢で維持するときの角度ｄを連続的又は段階的に変更できるものであってもよい。
【００１６】
取付具３は、被取付対象である手摺柱１０１に支持部２を取り付けるための器具であり、支持部２が連結される本体部３１と、当該本体部３１に一体化された固定部３２と、を有する。
【００１７】
本実施形態では、手摺柱１０１は四角柱であり、本体部３１は、ベランダの内側を向いた第１面１０１ａに対向配置される。そして、本体部３１には、第１面１０１ａとは反対側（ベランダの内側）の位置において、支持部２が、上下方向のスライドが可能となる様に連結されている（図２及び図４参照）。
【００１８】
具体的には、本体部３１の側面には、ツマミ３３が設けられており、ツマミ３３を、本体部３１の内部に設けられたバネ（不図示）の弾性力に抗して回転させることにより、本体部３１に設けられた係止部（例えば、爪。不図示）が、支持部２に複数設けられている係止受け部（例えば、係止孔。不図示）の１つから離脱し、その結果として、本体部３１に対する支持部２の上下方向のスライドが可能になる。そして、支持部２を所望の高さまでスライドさせた後、ツマミ３３の回転を解除することにより、係止受け部の１つに係止部が係合し、その結果として、本体部３１に対する支持部２の上下方向のスライドが規制させて、支持部２が所望の高さで位置決めされる。
【００１９】
図５（Ａ）及び（Ｂ）は、被取付対象である手摺柱１０１への取付具３の取付構造を示した斜視図である。図５（Ａ）及び（Ｂ）に示される様に、固定部３２は、手摺柱１０１の外周面のうち、本体部３１が対向配置される第１面１０１ａ（ベランダの内側を向いた面）と、当該第１面１０１ａの左右両側に位置する２つの第２面１０１ｂ（側面）と、を覆い、第２面１０１ｂにおいて締結部材４により固定される。締結部材４には、ネジが用いられてもよいし、ボルト及びナットが用いられてもよい。
【００２０】
具体的には、固定部３２は、第１面１０１ａを覆う第１平板部３２ａと、第１平板部３２ａの左右両端縁から延びて第２面１０１ｂを覆う２つの第２平板部３２ｂと、を含む。即ち、本実施形態における固定部３２は、手摺柱１０１の外周面を構成する４つの面のうちの３つの面を覆うことが可能な形状を呈している。より具体的には、固定部３２は、手摺柱１０１への取付け時に手摺柱１０１の外周面に沿う様に、コの字状を呈している。
【００２１】
そして、本実施形態では、各第２平板部３２ｂが２本の締結部材４で固定される（図５（Ｂ）参照）。尚、各第２平板部３２ｂの固定に使用する締結部材４の本数は、２本に限定されず、１本であってもよいし、３本以上であってもよい。
【００２２】
上記物干し装置１００によれば、取付具３の固定部３２が、取付具３の本体部３１が対向配置される第１面１０１ａとは異なる面（第２面１０１ｂ）で締結部材４によって固定される。このため、本体部３１に支持部２が連結されていたとしても、支持部２は、被取付対象である手摺柱１０１に取付具３を固定するときの作業の妨げになり難い。従って、取付具３に支持部２を取り付けた状態のまま、手摺柱１０１への物干し装置１００の取付作業を行うことができる。具体的には、以下の通りである。
【００２３】
先ず、取付具３を、本体部３１に支持部２を取り付けた状態のまま（図５（Ａ）参照）、手摺柱１０１の第１面１０１ａ側（ベランダの内側）から当該手摺柱１０１の所望の位置に配置する（図５（Ｂ）参照）。このとき、固定部３２は、２つの第２平板部３２ｂの間に手摺柱１０１が介在する様に配置される。これにより、上記所望の位置において、手摺柱１０１の第１面１０１ａ及び第２面１０１ｂが固定部３２で覆われる。
【００２４】
その後、固定部３２の第２平板部３２ｂに設けられた貫通孔３４（締結部材４が挿入される孔）を利用して、締結部材４により、手摺柱１０１の第２面１０１ｂに第２平板部３２ｂを固定する（図５（Ｂ）参照）。このとき、本体部３１並びに支持部２が対向配置される第１面１０１ａとは異なる面（第２面１０１ｂ）で、締結部材４によって固定部３２が手摺柱１０１に固定されるため、支持部２が作業の妨げになり難い。
【００２５】
又、上記物干し装置１００においては、締結部材４の軸方向を、第１面１０１ａに垂直な方向に対して傾けて（本実施形態では垂直に）設けることができるため、締結部材４のサイズを大きくせずとも、第１面１０１ａに垂直な方向における取付具３の固定強度を高めることができる。よって、上記物干し装置１００によれば、被取付対象である手摺柱１０１への高い固定強度を実現しつつ取付作業の効率化を図ることができる。
【００２６】
更に、上記物干し装置１００によれば、手摺柱１０１に取り付けられたときに締結部材４の一部が取付具３から突出したとしても、その突出部分がベランダの内側に向くことがない。従って、当該突出部分に洗濯物等が引っ掛かることがなく、又、取り付けられた物干し装置１００の外観も良好なものとなる。更に又、取付具３の固定部３２を手摺柱１０１の外周面に沿わせることにより、手摺柱１０１の意匠が損なわれ難い。
【００２７】
尚、上記物干し装置１００において、固定部３２の形状は、被取付対象である柱の断面形状（四角柱に限らず、円柱等）に応じて適宜変形することができる。これにより、上記物干し装置１００は、四角柱に限らず、様々な断面形状を持った柱に取り付けることが可能になると共に、被取付対象である柱への高い固定強度を実現しつつ取付作業の効率化を図ることができる。
【００２８】
上述の実施形態の説明は、すべての点で例示であって、制限的なものではないと考えられるべきである。本考案の範囲は、上述の実施形態ではなく、実用新案登録請求の範囲によって示される。更に、本考案の範囲には、実用新案登録請求の範囲と均等の意味及び範囲内での全ての変更が含まれることが意図される。
【符号の説明】
【００２９】
１  アーム部
１ａ  基端部
１ｂ  先端部
２  支持部
３  取付具
４  締結部材
１１  保持部
３１  本体部
３２  固定部
３２ａ  第１平板部
３２ｂ  第２平板部
３３  ツマミ
３４  貫通孔
１００  物干し装置
１０１  手摺柱
１０１ａ  第１面
１０１ｂ  第２面
ｄ  角度
【図１】
0003211916.tif 000003
【図２】
0003211916.tif 000004
【図３】
0003211916.tif 000005
【図４】
0003211916.tif 000006
【図５】
0003211916.tif 000007